(57)【要約】      （修正有）【課題】湾曲箇所の相隣する両フレームを連接して、フレームの強度を大幅に改善する補強構造を提供する。【解決手段】収納装置の補強構造は、竹材、或いは、木材を収納装置の骨格とする多辺形上フレームと下フレーム、及び、上フレームと下フレームの湾曲箇所に連接される立柱２、からなる。上フレームと下フレームの各湾曲箇所の相隣する両フレームは、少なくとも対応する穿孔１４１を設置し、両穿孔は、補強鞘３を緊密に打ち込んでいる。フレーム１は、更に、外径が大きい外フレーム１１、及び、外径が小さい内フレーム１２、を有し、外フレーム１１と内フレーム１２の間に、隔離ブロックを有する。内フレーム１２の湾曲箇所に角材１４を設置し、外フレーム１１、内フレーム１２、隔離ブロックと角材１４の湾曲箇所の相隣する両側は、穿孔１４１を設置すると共に、補強鞘３が穿孔１４１を穿過し、上フレームと下フレームの強度が大幅に上昇する。【選択図】図１
0003145679.tif 000002
【実用新案登録請求の範囲】
【請求項１】
収納装置の補強構造であって、
竹材、或いは、木材を収納装置とする骨格の多辺形上下フレーム、及び、前記フレームの湾曲箇所に連接する立柱からなり、その特徴は、
前記上下フレームは、外径が大きい外フレーム、及び、外径が小さい内フレームからなり、前記外フレームと前記内フレームの間に隔離材、及び、前記内フレームの湾曲箇所に角材を設置し、前記外フレーム、前記内フレーム、前記隔離材、及び、前記角材の湾曲箇所の相隣する両側は、穿孔を設置し、その後、補強鞘を緊密に前記穿孔に打ちいれることを特徴とする収納装置の補強構造。
【請求項２】
前記上フレームと前記下フレームは単一フレームで、且つ、前記フレームの各湾曲箇所の相隣する二フレームは少なくとも一つの対応する穿孔を有し、前記対応する両穿孔は、前記補強鞘をしっかりと打ちいれることを特徴とする請求項１に記載の収納装置の補強構造。
【考案の詳細な説明】
【技術分野】
【０００１】
本考案は、例えば、収納箱、棚、桶、フレーム等の家具の竹材、或いは、木材骨格の強度を強化する補強構造に関するものである。
【背景技術】
【０００２】
現在、竹材、或いは、木材により製造した収納装置は、その構造は、多辺形の上フレームと下フレーム（多辺形は多くが四角形）からなり、上下フレームの各湾曲箇所の間に立柱を連接して、収納装置の骨格を構成する。上下フレームと立柱により囲まれた領域は収納容器となる側壁範囲で、この領域は、編織体、或いは、板体を結合して側壁となる。
【０００３】
力学方面からの分析で、四角形構造の強度の弱点は、湾曲箇所に応力が集中し、竹材、或いは、木材により収納装置のフレームを製造すると、竹材と木材自身が金属より更に弾性を有するために、安定性不足である。
【考案の開示】
【考案が解決しようとする課題】
【０００４】
本考案の目的は、多辺形のフレーム構造を有する収納装置を提供し、湾曲箇所の強度不足で、大重量を受けたあと変形する問題を改善することにある。
【課題を解決するための手段】
【０００５】
本考案は、竹材、或いは、木材を収納装置の骨格とする多辺形の上フレームと下フレーム、及び、上フレームと下フレームの湾曲箇所に連接される立柱、からなる。上フレームと下フレームの各湾曲箇所の相隣する両フレームは、少なくとも対応する穿孔を設置し、両穿孔は、補強鞘を緊密に打ち込んでいる。フレームは、更に、外径が大きい外フレーム、及び、外径が小さい内フレーム、を有し、前記外フレームと内フレームの間に、隔離ブロックを有する。内フレームの湾曲箇所に角材を設置し、外フレーム、内フレーム、隔離ブロックと角材の湾曲箇所の相隣する両側は、穿孔を設置すると共に、補強鞘が穿孔を穿過し、上フレームと下フレームの強度が大幅に上昇する。
【考案の効果】
【０００６】
本考案の収納装置の竹製、或いは、木製の多辺形フレームの湾曲箇所は、補強鞘を設置し、補強鞘により、湾曲箇所の相隣する両フレームを連接して、フレームの強度を大幅に改善する。
【考案を実施するための最良の形態】
【０００７】
図１は、本考案の収納装置の局部構造を示す図で、竹材、或いは、木材を収納装置とする骨格の四角形フレーム１、及び、フレーム１の湾曲箇所に連接する立柱２からなる。本考案の実施例において、フレーム１は、外径が大きい外フレーム１１、及び、外径が小さい内フレーム１２からなる。外フレーム１１と内フレーム１２の間の湾曲位置に隔離材１３、及び、内フレーム１２の湾曲箇所に角材１４を設置する。隔離材１３、及び、角材１４は、粘着剤により外フレーム１１と内フレーム１２に粘着し、断面がL字型の立柱２は、外フレーム１１と内フレーム１２の間の湾曲箇所で穿設する。本考案の外フレーム１１、内フレーム１２、隔離材１３、及び、角材１４の湾曲箇所の相隣する両側は、穿孔１４１を設置し、その後、補強鞘３を緊密に穿孔１４１に打ちいれる（図２で示される）。補強鞘３を穿孔に入れる前、補強鞘３の外径表面、或いは、穿孔１４１内径に粘着剤を塗布し、補強鞘３を穿孔にしっかりと入れると同時に、粘着剤により、その結合が更に安定し、フレーム１の湾曲箇所が補強される。図１は、収納装置の上フレームを示し、下フレームの補強構造は、上フレームと同じなので、詳述しない。
【０００８】
図３と図４の実施例によると、フレーム１は、外径が大きい上フレーム１１と外径が小さい内フレーム１２を有し、外フレーム１１と内フレーム１２の間に、隔離ブロック１３を有する。内フレーム１２の湾曲箇所に大面積の角材１４を設置し、角材１４は同時に二内フレーム１２の高度を被覆する。外フレーム１１、内フレーム１２、隔離ブロック１３と角材１４の湾曲箇所の相隣する両側は、穿孔１４１を設置すると共に、補強鞘３がそれぞれ、穿孔１４１を穿過し、同様に、補強鞘３の外径、或いは、内径も接着剤を塗布して、結合がさらに強固になる。
【０００９】
図５は本考案の補強構造を単一の収納装置骨格４に応用した実施例を示す図で、骨格は、上フレーム４１と下フレームを有し、上下フレームの各湾曲箇所の立柱４２に連接し、本考案は、直接、上フレーム４１と下フレームの湾曲箇所の相隣する両側に穿孔を設置し、補強鞘３を穿孔に打ちいれて補強する。
【００１０】
図６は本考案の補強構造を多層の収納装置骨格４に応用した実施例を示す図で、各層の骨格は、上フレーム４１と下フレーム、及び、上下フレームの各湾曲箇所に連接される立柱４２、からなり、上フレーム４１と下フレームの相隣する両側は、立柱４２を貫通する穿孔を設置し、補強鞘３を穿孔に打ちいれて補強する。
【図面の簡単な説明】
【００１１】
【図１】本考案の収納装置の実施例による局部立体分解図である。
【図２】図１の素子組み合わせ後の局部立体図である。
【図３】本考案の収納装置の実施例による局部立体分解図である。
【図４】図３の素子組み合わせ後の局部立体図である。
【図５】本考案の補強構造を単層収納箱骨格に応用した実施例の立体図である。
【図６】本考案の補強構造を多層収納箱骨格に応用した実施例の立体図である。
【符号の説明】
【００１２】
フレーム１
立柱２
補強鞘３
収納装置骨格４
外フレーム１１
内フレーム１２
隔離材１３
角材１４
穿孔１４１
上フレーム４１
立柱４２
穿孔１４１
【図１】
0003145679.tif 000003
【図２】
0003145679.tif 000004
【図３】
0003145679.tif 000005
【図４】
0003145679.tif 000006
【図５】
0003145679.tif 000007
【図６】
0003145679.tif 000008